(57)【要約】      （修正有）【課題】目視観察とカメラ観察の両方で広い視野に渡って高い軸外性能を実現する技術を提供する。【解決手段】対物レンズ１は、２０倍以下の倍率の乾燥系の顕微鏡対物レンズで、物体側から順に、正の屈折力を有する第１レンズ群Ｇ１と、正の屈折力を有する第２レンズ群Ｇ２からなる。第１〜第２レンズ群Ｇ１〜Ｇ２は、互いに凹面を向かい合わせて配置されている。対物レンズ１は、以下の条件式を満たす。1.4≦(Wz(1)-Wz(0))/DOFd≦2.3（１）0≦WCRMS(Fiy)≦0.1λd(但し、0≦Fiy≦0.7)（２）式中、Wzは物体高比に依存する関数、物体高比におけるd線に対するRMS波面収差が最小となる縦位置であるd線最適位置の関数、DOFdはd線に対する焦点深度、WCRMSは物体高比に依存する関数、d線最適位置におけるC線に対するRMS波面収差の関数、Fiyは前記物体高比、λdは前記d線の波長である。【選択図】図１
2019191269.tif 000002
【特許請求の範囲】
【請求項１】
２０倍以下の倍率を有する乾燥系の顕微鏡対物レンズであって、物体側から順に、
正の屈折力を有する第１レンズ群と、
正の屈折力を有する第２レンズ群からなり、
前記第１レンズ群と前記第２レンズ群は、互いに凹面を向かい合わせて配置されていて、
以下の条件式を満たすことを特徴とする顕微鏡対物レンズ。
1.4≦(Wz(1)-Wz(0))/DOFd≦2.3                        （１）
0≦WCRMS(Fiy)≦0.1λd      (但し、0≦Fiy≦0.7)        （２）
ここで、Wzは物体高比に依存する関数であって、前記物体高比におけるd線に対するRMS波面収差が最小となる縦位置であるd線最適位置の関数である。DOFdは前記d線に対する焦点深度である。WCRMSは前記物体高比に依存する関数であって、前記d線最適位置におけるC線に対するRMS波面収差の関数である。Fiyは前記物体高比である。λdは前記d線の波長である。
【請求項２】
請求項１に記載の顕微鏡対物レンズにおいて、
以下の条件式を満たすことを特徴とする顕微鏡対物レンズ。
0≦WFRMS(Fiy)≦0.2λd      (但し、0≦Fiy≦0.7)       （３）
ここで、WFRMSは前記物体高比に依存する関数であって、前記d線最適位置おけるF線に対するRMS波面収差の関数である。
【請求項３】
請求項１又は請求項２に記載の顕微鏡対物レンズにおいて、
以下の条件式を満たすことを特徴とする顕微鏡対物レンズ。
0≦FCY(Fiy)/DOFd≦5      (但し、0.2≦Fiy≦1)       （４）
-3≦(FCYC(Fiy)- FCYF(Fiy))/DOFd≦3                  （５）
ここで、FCYは前記物体高比に依存する関数であって、メリディオナル面における前記d線に対する像面湾曲の関数である。FCYCは前記物体高比に依存する関数であって、前記メリディオナル面における前記C線に対する像面湾曲の関数である。FCYFは前記物体高比に依存する関数であって、前記メリディオナル面におけるF線に対する像面湾曲の関数である。
【請求項４】
請求項３に記載の顕微鏡対物レンズにおいて、
以下の条件式を満たすことを特徴とする顕微鏡対物レンズ。
0≦FCX(Fiy)/DOFd≦5      (但し、0.2≦Fiy≦1)       （６）
ここで、FCXは前記物体高比に依存する関数であって、サジタル面における前記d線に対する像面湾曲の関数である。
【請求項５】
請求項３に記載の顕微鏡対物レンズにおいて、
以下の条件式を満たすことを特徴とする顕微鏡対物レンズ。
1≦(FCY(Fiy)+ FCX(Fiy))/(2×DOFd×Fiy2)≦5      (但し、0.2≦Fiy≦1)     （７）
ここで、FCXは前記物体高比に依存する関数であって、サジタル面における前記d線に対する像面湾曲の関数である。
【請求項６】
請求項１乃至請求項５のいずれか１項に記載の顕微鏡対物レンズにおいて、
以下の条件式を満たすことを特徴とする顕微鏡対物レンズ。
-1.1≦MTFmpeak(Fiy)/(DOFd×Fiy2)≦5              (但し、0.2≦Fiy≦1)       （８）
-1.2≦ave(MTFmpeakC(Fiy)-MTFmpeakF(Fiy))/DOFd≦1.2  (但し、0≦Fiy≦0.8)     （９）
ここで、MTFmpeakは前記物体高比に依存する関数であって、メリディオナル面における前記d線に対するMTFが最大となる縦位置の関数である。MTFmpeakCは前記物体高比に依存する関数であって、前記メリディオナル面における前記C線に対するMTFが最大となる縦位置の関数である。MTFmpeakFは前記物体高比に依存する関数であって、前記メリディオナル面におけるF線に対するMTFが最大となる縦位置の関数である。前記d線に対する前記MTF、前記C線に対する前記MTF、及び、前記F線に対する前記MTFは、エアリーディスク半径に対応する空間周波数である基準空間周波数におけるMTFである。aveは平均化関数である。
【請求項７】
請求項６に記載の顕微鏡対物レンズにおいて、
以下の条件式を満たすことを特徴とする顕微鏡対物レンズ。
-1.1≦MTFspeak(Fiy)/(DOFd×Fiy2)≦5              (但し、0.2≦Fiy≦1)    （１０）
ここで、MTFspeakは前記物体高比に依存する関数であって、サジタル面における前記d線に対するMTFが最大となる縦位置の関数である。前記d線に対する前記MTFは、前記基準空間周波数におけるMTFである。
【請求項８】
請求項１乃至請求項７のいずれか１項に記載の顕微鏡対物レンズにおいて、
前記第２レンズ群は、最も像側に、単レンズである最終レンズを含み、
以下の条件式を満たすことを特徴とする顕微鏡対物レンズ。
-15mm≦R≦-10mm    （１１）
ここで、Rは前記最終レンズの前記像側のレンズ面の曲率半径である。
【請求項９】
請求項８に記載の顕微鏡対物レンズにおいて、さらに、
３つ以上の接合レンズを含む
ことを特徴とする顕微鏡対物レンズ。
【請求項１０】
請求項８に記載の顕微鏡対物レンズにおいて、さらに、
２つ以上の接合レンズを含み、
前記２つ以上の接合レンズのうちの少なくとも１つは、３枚接合レンズである
ことを特徴とする顕微鏡対物レンズ。
【請求項１１】
請求項１乃至請求項１０のいずれか１項に記載の顕微鏡対物レンズにおいて、
前記顕微鏡対物レンズの前記第２レンズ群は、物体側から順に、
全体として負の屈折力を有する、少なくとも１つのレンズ成分と、
第１接合レンズと、
正の屈折力を有する、単レンズからなり、
前記顕微鏡対物レンズの最も像側のレンズ面において、軸上マージナル光線高さは最大である
ことを特徴とする顕微鏡対物レンズ。
【請求項１２】
請求項１１に記載の顕微鏡対物レンズにおいて、
以下の条件式を満たすことを特徴とする顕微鏡対物レンズ。
-0.38 ≦ FS/FC ≦ 0.38         （１２）
ここで、FCを前記第１接合レンズの前記d線に対する焦点距離である。FSを前記単レンズの前記d線に対する焦点距離である。
【請求項１３】
請求項１乃至請求項１０のいずれか１項に記載の顕微鏡対物レンズにおいて、
前記第１レンズ群は、前記物体側から順に、
前記物体側に凹面を向けた第１接合レンズと、
正の屈折力を有する第１単レンズと、
像側に凹面を向けた第２接合レンズと、を有し、
前記第２レンズ群は、前記物体側から順に、
前記物体側に凹面を向けた第３接合レンズと、
正の屈折力を有する第２単レンズと、を有し、
前記第１接合レンズ、前記第２接合レンズ、前記第３接合レンズの各々は、正レンズと負レンズを１枚ずつ組み合わせた２枚接合レンズである
ことを特徴とする顕微鏡対物レンズ。
【請求項１４】
請求項１３に記載の顕微鏡対物レンズにおいて、
以下の条件式を満たすことを特徴とする顕微鏡対物レンズ。
0.31≦NA＜1              （１３）
2.2≦H/f≦3.3            （１４）
0＜a/b≦1.2              （１５）
ここで、NAは前記顕微鏡対物レンズの前記物体側の開口数である。fは前記顕微鏡対物レンズの前記d線に対する焦点距離である。Hは物体面から前記第２レンズ群の最も前記像側のレンズ面までの距離である。aは前記第１レンズ群の空気間隔距離の総和である。bは前記第２接合レンズに含まれる負レンズの厚さである。
【請求項１５】
請求項１乃至請求項１０のいずれか１項に記載の顕微鏡対物レンズにおいて、
以下の条件式を満たすことを特徴とする顕微鏡対物レンズ。
0.31≦NA＜1              （１３）
2.2≦H/f≦3.3            （１４）
ここで、NAは前記顕微鏡対物レンズの前記物体側の開口数である。fは前記顕微鏡対物レンズの前記d線に対する焦点距離である。Hは物体面から前記第２レンズ群の最も像側のレンズ面までの距離である。
【請求項１６】
請求項１乃至請求項１０のいずれか１項に記載の顕微鏡対物レンズにおいて、
以下の条件式を満たすことを特徴とする顕微鏡対物レンズ。
0.43≦(hg2-hg1)/gt1≦1.5          （１６）
ここで、gt1を前記第２レンズ群に含まれる最も物体側のレンズ成分の光軸上における厚さである。hg1を前記レンズ成分の最も物体側のレンズ面における軸上マージナル光線高さである。hg2を前記レンズ成分の最も像側のレンズ面における軸上マージナル光線高さである。
【請求項１７】
２０倍以下の倍率を有する乾燥系の顕微鏡対物レンズであって、物体側から順に、
正の屈折力を有する第１レンズ群と、
正の屈折力を有する第２レンズ群からなり、
前記第１レンズ群と前記第２レンズ群は、互いに凹面を向かい合わせて配置されていて、
以下の条件式を満たすことを特徴とする顕微鏡対物レンズ。
0≦FCY(Fiy)/DOFd≦5      (但し、0.2≦Fiy≦1)       （４）
-3≦(FCYC(Fiy)- FCYF(Fiy))/DOFd≦3                  （５）
ここで、FCYは物体高比に依存する関数であって、メリディオナル面におけるd線に対する像面湾曲である。FCYCは前記物体高比に依存する関数であって、前記メリディオナル面におけるC線に対する像面湾曲である。FCYFは前記物体高比に依存する関数であって、前記メリディオナル面におけるF線に対する像面湾曲である。DOFdは前記d線に対する焦点深度である。Fiyは前記物体高比である。
【請求項１８】
２０倍以下の倍率を有する乾燥系の顕微鏡対物レンズであって、物体側から順に、
正の屈折力を有する第１レンズ群と、
正の屈折力を有する第２レンズ群からなり、
前記第１レンズ群と前記第２レンズ群は、互いに凹面を向かい合わせて配置されていて、
以下の条件式を満たすことを特徴とする顕微鏡対物レンズ。
-1.1≦MTFmpeak(Fiy)/(DOFd×Fiy2)≦5              (但し、0.2≦Fiy≦1)       （８）
-1.2≦ave(MTFmpeakC(Fiy)-MTFmpeakF(Fiy))/DOFd≦1.2  (但し、0≦Fiy≦0.8)     （９）
ここで、MTFmpeakは物体高比に依存する関数であって、メリディオナル面におけるd線に対するMTFが最大となる縦位置の関数である。DOFdは前記d線に対する焦点深度である。Fiyは前記物体高比である。MTFmpeakCは前記物体高比に依存する関数であって、前記メリディオナル面におけるC線に対するMTFが最大となる縦位置の関数である。MTFmpeakFは前記物体高比に依存する関数であって、前記メリディオナル面におけるF線に対するMTFが最大となる縦位置の関数である。前記d線に対する前記MTF、前記C線に対する前記MTF、及び、前記F線に対する前記MTFは、エアリーディスク半径に対応する空間周波数である基準空間周波数におけるMTFである。aveは平均化関数である。
【発明の詳細な説明】
【技術分野】
【０００１】
本明細書の開示は、顕微鏡対物レンズに関し、特に、乾燥系の顕微鏡対物レンズに関する。
【背景技術】
【０００２】
近年、生物顕微鏡分野において広視野と高分解能とを両立した顕微鏡装置への期待が高まっている。そのような顕微鏡装置には、高い開口数（以降、ＮＡと記す）を有し、かつ広視野に渡って高い収差性能を実現した対物レンズが求められる。また、観察時における作業性を考慮すると、対物レンズは乾燥系対物レンズであることが望ましい。
【０００３】
特許文献１には、４−１０倍の対物レンズであり、可視域から近赤外域までの良好な結像性能を有する顕微鏡対物レンズが記載されている。特許文献２には、カメラ観察において、広視野に渡る高い収差性能を有する顕微鏡対物レンズが記載されている。
【先行技術文献】
【特許文献】
【０００４】
【特許文献１】特開２００６−６５０２３号公報
【特許文献２】特開２０１０−１８６１６２号公報
【発明の概要】
【発明が解決しようとする課題】
【０００５】
広視野に渡る高い収差性能は、目視観察とカメラ観察の両方で実現されることが望ましい。しかしながら、目視観察で使用される接眼レンズは、一般に、軸外が物体側に向かって倒れる形状の像面湾曲を有している。このため、接眼レンズを使用する目視観察と、接眼レンズを使用しないカメラ観察の両方で、高い収差性能を実現することは難しい。
【０００６】
例えば、上述した特許文献１及び特許文献２に記載されている対物レンズでは、目視観察とカメラ観察の一方において高いフラットネスが実現される一方で、他方においては、像面湾曲が十分に補正されない。
【０００７】
以上のような実情を踏まえ、本発明の一側面に係る目的は、目視観察とカメラ観察の両方で広い視野に渡って高い軸外性能を実現する技術を提供することである。
【課題を解決するための手段】
【０００８】
本発明の一態様に係る顕微鏡対物レンズは、２０倍以下の倍率を有する乾燥系の顕微鏡対物レンズであって、物体側から順に、正の屈折力を有する第１レンズ群と、正の屈折力を有する第２レンズ群からなる。前記第１レンズ群と前記第２レンズ群は、互いに凹面を向かい合わせて配置されている。前記顕微鏡対物レンズは、以下の条件式を満たす。
1.4≦(Wz(1)-Wz(0))/DOFd≦2.3                        （１）
0≦WCRMS(Fiy)≦0.1λd      (但し、0≦Fiy≦0.7)        （２）
【０００９】
ここで、Wzは物体高比に依存する関数であって、前記物体高比におけるd線に対するRMS波面収差が最小となる縦位置であるd線最適位置の関数である。DOFdは前記d線に対する焦点深度である。WCRMSは前記物体高比に依存する関数であって、前記d線最適位置におけるC線に対するRMS波面収差の関数である。Fiyは前記物体高比である。λdは前記d線の波長である。
【００１０】
本発明の別の態様に係る顕微鏡対物レンズは、２０倍以下の倍率を有する乾燥系の顕微鏡対物レンズであって、物体側から順に、正の屈折力を有する第１レンズ群と、正の屈折力を有する第２レンズ群からなる。  前記第１レンズ群と前記第２レンズ群は、互いに凹面を向かい合わせて配置されている。前記顕微鏡対物レンズは、以下の条件式を満たす。
0≦FCY(Fiy)/DOFd≦5      (但し、0.2≦Fiy≦1)       （４）
-3≦(FCYC(Fiy)- FCYF(Fiy))/DOFd≦3                  （５）
【００１１】
ここで、FCYは物体高比に依存する関数であって、メリディオナル面におけるd線に対する像面湾曲である。FCYCは前記物体高比に依存する関数であって、前記メリディオナル面におけるC線に対する像面湾曲である。FCYFは前記物体高比に依存する関数であって、前記メリディオナル面におけるF線に対する像面湾曲である。DOFdは前記d線に対する焦点深度である。Fiyは前記物体高比である。
【００１２】
本発明の更に別の態様に係る顕微鏡対物レンズは、２０倍以下の倍率を有する乾燥系の顕微鏡対物レンズであって、物体側から順に、正の屈折力を有する第１レンズ群と、正の屈折力を有する第２レンズ群からなる。  前記第１レンズ群と前記第２レンズ群は、互いに凹面を向かい合わせて配置されている。前記顕微鏡対物レンズは、以下の条件式を満たす。
-1.1≦MTFmpeak(Fiy)/(DOFd×Fiy2)≦5              (但し、0.2≦Fiy≦1)       （８）
-1.2≦ave(MTFmpeakC(Fiy)-MTFmpeakF(Fiy))/DOFd≦1.2  (但し、0≦Fiy≦0.8)     （９）
【００１３】
ここで、MTFmpeakは物体高比に依存する関数であって、メリディオナル面におけるd線に対するMTFが最大となる縦位置の関数である。DOFdは前記d線に対する焦点深度である。Fiyは前記物体高比である。MTFmpeakCは前記物体高比に依存する関数であって、前記メリディオナル面におけるC線に対するMTFが最大となる縦位置の関数である。MTFmpeakFは前記物体高比に依存する関数であって、前記メリディオナル面におけるF線に対するMTFが最大となる縦位置の関数である。前記d線に対する前記MTF、前記C線に対する前記MTF、及び、前記F線に対する前記MTFは、エアリーディスク半径に対応する空間周波数である基準空間周波数におけるMTFである。aveは平均化関数である。
【発明の効果】
【００１４】
上記の態様によれば、目視観察とカメラ観察の両方で広い視野に渡って高い軸外性能を実現する技術を提供することができる。
【図面の簡単な説明】
【００１５】
【図１】本発明の実施例１に係る対物レンズ１の断面図である。
【図２】図１に示す対物レンズ１の収差図である。
【図３】本発明の実施例２に係る対物レンズ２の断面図である。
【図４】図３に示す対物レンズ２の収差図である。
【図５】本発明の実施例３に係る対物レンズ３の断面図である。
【図６】図５に示す対物レンズ３の収差図である。
【発明を実施するための形態】
【００１６】
以下、本願の一実施形態に係る対物レンズについて説明する。対物レンズは、結像レンズと組み合わせて使用される無限遠補正型の顕微鏡対物レンズである。対物レンズは、標本Ｓと対物レンズの間に空気を介在させた状態で標本Ｓを観察するときに用いられる、いわゆる乾燥系対物レンズである。より詳細には、対物レンズは、焦点距離180mmの結像レンズとの組み合わせで20倍以下の倍率を有する乾燥系対物レンズである。これにより、広い視野と高い作業性を利用者に提供する。また、対物レンズは、接眼レンズを用いた目視観察と撮像装置を用いたカメラ観察との両方で、広い視野に渡って高い軸外性能を実現することができる。以下、対物レンズの構成について詳細に説明する。
【００１７】
対物レンズは、２群構成を有する。対物レンズは、物体側から順に、第１レンズ群と、第２レンズ群からなる。第１レンズ群と第２レンズ群は、それぞれ正の屈折力を有し、互いに凹面を向かい合わせて配置されている。第１レンズ群と第２のレンズ群の境界は、この特徴によって特定することができる。
【００１８】
第１レンズ群は、物体面から発生した高いテレセントリック性を有する発散光を、軸外の主光線の角度を変えながら、一旦平行光若しくは収斂光に変換し、その後、発散光に変換してから、第２レンズ群に入射させる。第２レンズ群は、第１レンズ群から入射した発散光を、平行光に変換して出射する。
【００１９】
以上のように構成された対物レンズでは、物点からの発散光は、第１レンズ群内で一度平行光若しくは収斂光に変換される。その後から発散光に変換されて、さらに第２レンズ群から平行光として出射される。このように、対物レンズは、光線を上げ下げすることによってペッバール和をはじめとした各種収差を補正する。
【００２０】
対物レンズは、条件式（１）及び条件式（２）を満たしている。
1.4≦(Wz(1)-Wz(0))/DOFd≦2.3                        （１）
0≦WCRMS(Fiy)≦0.1λd      (但し、0≦Fiy≦0.7)       （２）
【００２１】
但し、Wzは物体高比に依存する関数であって、物体高比におけるd線に対するRMS波面収差が最小となる縦位置（以降、d線最適位置と記す。）の関数である。DOFdはd線に対する焦点深度である。WCRMSは物体高比に依存する関数であって、d線最適位置におけるC線に対するRMS波面収差の関数である。Fiyは物体高比である。λdはd線の波長である。
【００２２】
関数Wzは、逆光線追跡を行うことによって算出可能な対物レンズの物体側の位置の関数であり、像側から物体側に向かう方向が正として定義されている。なお、波面収差は、参考文献“M. Born and E. Wolf, “Principles of optics: electromagnetic theory or propagation, Interference and Diffraction of Light", Sixth Edition (Pergamon Press, 1993)”に示されるように、射出瞳面における参照球面と波面との光路長差Φで表される。RMS波面収差は、射出瞳面において、その光路長差Φに対して二乗平均平方根を取ることによって算出される。焦点深度DOFdは、d線の波長λdと対物レンズの物体側の開口数NAを用いて、λd/(2×NA2)で算出される。物体高比Fiyは、最大物体高に対する注目する物体高の比である。最大物体高は、顕微鏡装置の視野数FNと対物レンズの倍率βを用いて、(FN/β)/2で算出される。
【００２３】
条件式（１）は軸上と最軸外における波面収差が良好に補正される縦位置（光軸方向の位置）の違いを表した式であり、像面湾曲について規定している。条件式（１）では、対物レンズの開口数によらず像面湾曲の大きさを評価するため、縦位置の差を焦点深度で割った値が用いられている。
【００２４】
(Wz(1)-Wz(0))/DOFdが正の値をとることによって、接眼レンズで生じる収差（像面湾曲）を補正することができる。特に、条件式（１）の下限値以上であれば、接眼レンズで生じる収差（像面湾曲）を十分に補正することができる。このため、目視観察において高い軸外性能を実現することができる。また、(Wz(1)-Wz(0))/DOFdが条件式（１）の上限値以下であれば、対物レンズで生じる収差（像面湾曲）が大きくなりすぎない。このため、接眼レンズを用いないカメラ観察においても高い軸外性能を実現することができる。
【００２５】
条件式（２）はd線に対して波面収差が良好に補正された位置におけるC線に対する波面収差を表した式である。なお、対物レンズは、物体高比Fiyが0から0.7の範囲で条件式（２）を満たしている。
【００２６】
WCRMS(Fiy)は二乗平均平方根のため、必ず０以上の値となる。WCRMS(Fiy)が条件式（２）の上限値以下であれば、d線の像面とC線の像面が大きく乖離しない。このため、白色観察においても、フラットネスが劣化せず、良好な観察が実現できる。
【００２７】
以上のように、対物レンズは、上述した条件式（１）及び条件式（２）を満たすことによって、目視観察とカメラ観察の両方で広い視野に渡って高い軸外性能を実現することができる。
【００２８】
なお、対物レンズが目視観察において特に頻繁に使用される低倍の対物レンズである場合には、条件式（１）の代わりに条件式（１−１）を満たしてもよい。これにより、目視観察においてさらに高い軸外性能を実現することができる。低倍とは、例えば、4-10倍程度の倍率をいう。
2.0≦(Wz(1)-Wz(0))/DOFd≦2.3                        （１−１）
【００２９】
また、対物レンズが目視観察とカメラ観察の両方で使用される中倍の対物レンズである場合には、条件式（１）の代わりに条件式（１−２）を満たしてもよい。これにより、カメラ観察において、さらに高い軸外性能を実現することができる。中倍とは、例えば、10-20倍程度の倍率をいう。
1.4≦(Wz(1)-Wz(0))/DOFd≦1.7                        （１−２）
【００３０】
対物レンズは、さらに、以下の条件式（３）を満たしてもよい。
0≦WFRMS(Fiy)≦0.2λd      (但し、0≦Fiy≦0.7)       （３）
【００３１】
但し、WFRMSは物体高比に依存する関数であって、d線最適位置おけるF線に対するRMS波面収差の関数である。
【００３２】
条件式（３）はd線に対して波面収差が良好に補正された位置におけるF線に対する波面収差を表した式である。なお、対物レンズは、物体高比Fiyが0から0.7の範囲で条件式（３）を満たしている。
【００３３】
WFRMS(Fiy) は二乗平均平方根のため、必ず０以上の値となる。 WFRMS(Fiy)が条件式（３）の上限値以下であれば、d線の像面とF線の像面が大きく乖離していない。このため、白色観察においても、フラットネスが劣化せず、良好な観察が実現できる。
【００３４】
対物レンズは、条件式（１）及び条件式（２）に加えて、又は、条件式（１）及び条件式（２）の代わりに、以下の条件式（４）及び条件式（５）を満たしてもよい。
0≦FCY(Fiy)/DOFd≦5      (但し、0.2≦Fiy≦1)       （４）
-3≦(FCYC(Fiy)-FCYF(Fiy))/DOFd≦3                  （５）
【００３５】
但し、FCYは物体高比に依存する関数であって、メリディオナル面におけるd線に対する像面湾曲の関数である。FCYCは物体高比に依存する関数であって、メリディオナル面におけるC線に対する像面湾曲の関数である。FCYFは物体高比に依存する関数であって、メリディオナル面におけるF線に対する像面湾曲の関数である。関数FCY、関数FCYC、関数FCYFは、逆光線追跡を行うことによって算出可能な対物レンズの物体側における像面湾曲の関数であり、像側から物体側に向かう方向が正として定義されている。
【００３６】
条件式（４）はメリディオナル面におけるd線に対する像面湾曲を表した式である。条件式（４）では、対物レンズの開口数によらず像面湾曲の大きさを評価するため、像面湾曲を焦点深度で割った値が用いられている。なお、対物レンズは、物体高比Fiyが0.2から1の範囲で条件式（４）を満たしている。
【００３７】
FCY(Fiy)/DOFdが条件式（４）の下限値以上であれば、接眼レンズで生じる収差（像面湾曲）を補正することができる。このため、目視観察において高い軸外性能を実現することができる。また、FCY(Fiy)/DOFdが条件式（４）の上限値以下であれば、対物レンズで生じる収差（像面湾曲）が大きくなりすぎない。このため、接眼レンズを用いないカメラ観察においても高い軸外性能を実現することができる。
【００３８】
条件式（５）はメリディオナル面におけるC線に対する像面湾曲とメリディオナル面におけるF線に対する像面湾曲の違いを表した式である。条件式（５）では、対物レンズの開口数によらず像面湾曲の大きさを評価するため、像面湾曲の差を焦点深度で割った値が用いられている。なお、対物レンズは、物体高比Fiyが0から1の範囲で条件式（５）を満たしている。
【００３９】
(FCYC(Fiy)-FCYF(Fiy))/DOFdが条件式（５）の下限値以上で上限値以下であれば、C線に対する像面湾曲とF線に対する像面湾曲は大きく異ならないため、色収差が良好に補正される。このため、白色観察においても、フラットネスが劣化せず、良好な観察が実現できる。
【００４０】
なお、対物レンズは、条件式（４）の代わりに条件式（４−１）を満たしてもよい。これにより、カメラ観察においてさらに高い軸外性能を実現することができる。
0≦FCY(Fiy)/DOFd≦4      (但し、0.2≦Fiy≦1)       （４−１）
【００４１】
また、対物レンズは、条件式（５）の代わりに条件式（５−１）を満たしてもよい。これにより、白色観察において、さらに高い軸外性能を実現することができる。
-2.0≦(FCYC(Fiy)-FCYF(Fiy))/DOFd≦2.7                  （５−１）
【００４２】
対物レンズは、さらに、以下の条件式（６）又は条件式（７）の少なくとも一方を満たしてもよい。
0≦FCX(Fiy)/DOFd≦5                          (但し、0.2≦Fiy≦1)      （６）
1≦(FCY(Fiy)+FCX(Fiy))/(2×DOFd×Fiy2)≦5      (但し、0.2≦Fiy≦1)     （７）
【００４３】
但し、FCXは物体高比に依存する関数であって、サジタル面におけるd線に対する像面湾曲の関数である。関数FCXは、逆光線追跡を行うことによって算出可能な対物レンズの物体側における像面湾曲の関数であり、像側から物体側に向かう方向が正として定義されている。
【００４４】
条件式（６）はサジタル面におけるd線に対する像面湾曲を表した式である。条件式（６）では、対物レンズの開口数によらず像面湾曲の大きさを評価するため、像面湾曲を焦点深度で割った値が用いられている。なお、対物レンズは、物体高比Fiyが0.2から1の範囲で条件式（６）を満たしている。
【００４５】
FCX(Fiy)/DOFdが条件式（６）の下限値以上であれば、接眼レンズで生じる収差（像面湾曲）を補正することができる。このため、目視観察において高い軸外性能を実現することができる。また、FCX(Fiy)/DOFdが条件式（６）の上限値以下であれば、対物レンズで生じる収差（像面湾曲）が大きくなりすぎない。このため、接眼レンズを用いないカメラ観察においても高い軸外性能を実現することができる。
【００４６】
条件式（７）はd線に対する像面湾曲の平均を表した式である。条件式（７）では、対物レンズの開口数及び物体高によらず像面湾曲の大きさを評価するため、像面湾曲の平均を焦点深度と物体高比の二乗との積で割った値が用いられている。なお、対物レンズは、物体高比Fiyが0.2から1の範囲で条件式（７）を満たしている。
【００４７】
(FCY(Fiy)+FCX(Fiy))/(2×DOFd×Fiy2)が条件式（７）の下限値以上であれば、接眼レンズで生じる収差（像面湾曲）を補正することができる。このため、目視観察において高い軸外性能を実現することができる。また、(FCY(Fiy)+FCX(Fiy))/(2×DOFd×Fiy2)が条件式（７）の上限値以下であれば、対物レンズで生じる収差（像面湾曲）が大きくなりすぎない。このため、接眼レンズを用いないカメラ観察においても高い軸外性能を実現することができる。
【００４８】
なお、対物レンズは、条件式（６）の代わりに条件式（６−１）を満たしてもよい。これにより、カメラ観察においてさらに高い軸外性能を実現することができる。
0≦FCX(Fiy)/DOFd≦3                      (但し、0.2≦Fiy≦1)      （６−１）
【００４９】
また、対物レンズは、条件式（７）の代わりに条件式（７−１）を満たしてもよい。これにより、目視観察とカメラ観察の両方において、さらに高い軸外性能を実現することができる。
1.5≦(FCY(Fiy)+FCX(Fiy))/(2×DOFd×Fiy2)≦4.5  (但し、0.2≦Fiy≦1) （７−１）
【００５０】
対物レンズは、条件式（１）及び条件式（２）に加えて、又は、条件式（１）及び条件式（２）の代わりに、以下の条件式（８）及び条件式（９）を満たしてもよい。
-1.1≦MTFmpeak(Fiy)/(DOFd×Fiy2)≦5            (但し、0.2≦Fiy≦1)      （８）
-1.2≦ave(MTFmpeakC(Fiy)-MTFmpeakF(Fiy))/DOFd≦1.2  (但し、0≦Fiy≦0.8)     （９）
【００５１】
但し、MTFmpeakは物体高比に依存する関数であって、メリディオナル面におけるd線に対するMTFが最大となる縦位置の関数である。MTFmpeakCは物体高比に依存する関数であって、メリディオナル面におけるC線に対するMTFが最大となる縦位置の関数である。MTFmpeakFは物体高比に依存する関数であって、メリディオナル面におけるF線に対するMTFが最大となる縦位置の関数である。aveは平均化関数である。
【００５２】
なお、MTFmpeak、MTFmpeakC、MTFmpeakFは、逆光線追跡を行うことによって算出可能な対物レンズの物体側の位置の関数であり、物体高比0における縦位置を原点とし、像側から物体側に向かう方向が正として定義されている。d線に対するMTF、C線に対するMTF、及び、F線に対するMTFは、エアリーディスク半径に対応する空間周波数（以降、基準空間周波数Freqと記す。）におけるMTFである。基準空間周波数Freqは、エアリーディスク径（直径）Airyを用いて、0.5/Airyで算出される。エアリーディスク径Airyは、d線の波長λdと対物レンズの物体側の開口数NAとを用いて、0.61λd/NAで算出される。
【００５３】
条件式（８）は、メリディオナル面におけるd線に対する像面湾曲を表した式である。集光位置の代わりにMTFで像面湾曲を表した点が、条件式（４）とは異なっている。条件式（８）では、対物レンズの開口数及び物体高によらず像面湾曲の大きさを評価するため、像面湾曲を焦点深度と物体高比の二乗との積で割った値が用いられている。なお、対物レンズは、物体高比Fiyが0.2から1の範囲で条件式（８）を満たしている。
【００５４】
MTFmpeak(Fiy)/(DOFd×Fiy2)が条件式（８）の下限値未満であると、接眼レンズで生じる像面湾曲が支配的になってしまう。このため、目視観察において高い軸外性能を実現することが困難になる。また、MTFmpeak(Fiy)/(DOFd×Fiy2)が条件式（８）の上限値を上回ると、対物レンズで生じる収差（像面湾曲）が大きくなりすぎる。このため、接眼レンズを用いないカメラ観察において高い軸外性能を実現することが困難になる。
【００５５】
条件式（９）はC線に対する像面湾曲とF線に対する像面湾曲の平均を表した式であり、像面湾曲は集光位置の代わりにMTFで表されている。条件式（９）では、対物レンズの開口数によらず像面湾曲の大きさを評価するため、像面湾曲を焦点深度で割った値が用いられている。なお、対物レンズは、物体高比Fiyが0から0.8の範囲で条件式（９）を満たしている。
【００５６】
ave(MTFmpeakC(Fiy)-MTFmpeakF(Fiy))/DOFdが条件式（９）の下限値以上で上限値以下であれば、色毎の像面が大きく乖離することないため。色収差が良好に補正される。このため、白色観察においても、フラットネスが劣化せず、良好な観察が実現できる。
【００５７】
なお、対物レンズは、条件式（８）の代わりに条件式（８−１）を満たしてもよい。これにより、目視観察とカメラ観察の両方において、さらに高い軸外性能を実現することができる。
-1.1≦MTFmpeak(Fiy)/(DOFd×Fiy2)≦2.7          (但し、0.2≦Fiy≦1)   （８−１）
【００５８】
また、対物レンズは、条件式（９）の代わりに条件式（９−１）を満たしてもよい。これにより、白色観察において、さらに高い軸外性能を実現することができる。
-1.2≦ave(MTFmpeakC(Fiy)-MTFmpeakF(Fiy))/DOFd≦0.8  (但し、0≦Fiy≦0.8)     （９−１）
【００５９】
対物レンズは、さらに、以下の条件式（１０）を満たしてもよい。
-1.1≦MTFspeak(Fiy)/(DOFd×Fiy2)≦5            (但し、0.2≦Fiy≦1)    （１０）
【００６０】
但し、MTFspeakは物体高比に依存する関数であって、サジタル面におけるd線に対するMTFが最大となる縦位置の関数である。なお、MTFspeakは、逆光線追跡を行うことによって算出可能な対物レンズの物体側の位置の関数であり、物体高比0における縦位置を原点とし、像側から物体側に向かう方向が正として定義されている。d線に対するMTFは、基準空間周波数FreqにおけるMTFである。
【００６１】
条件式（１０）は、サジタル面におけるd線に対する像面湾曲を表した式である。集光位置の代わりにMTFで像面湾曲を表した点が、条件式（６）とは異なっている。条件式（１０）では、対物レンズの開口数及び物体高によらず像面湾曲の大きさを評価するため、像面湾曲を焦点深度と物体高比の二乗との積で割った値が用いられている。なお、対物レンズは、物体高比Fiyが0.2から1の範囲で条件式（１０）を満たしている。
【００６２】
MTFspeak(Fiy)/(DOFd×Fiy2)が条件式（１０）の下限値未満であると、接眼レンズで生じる像面湾曲が支配的になってしまう。このため、目視観察において高い軸外性能を実現することが困難になる。また、MTFspeak(Fiy)/(DOFd×Fiy2)が条件式（１０）の上限値を上回ると、対物レンズで生じる収差（像面湾曲）が大きくなりすぎる。このため、接眼レンズを用いないカメラ観察において高い軸外性能を実現することが困難になる。
【００６３】
なお、対物レンズは、条件式（１０）の代わりに条件式（１０−１）を満たしてもよい。これにより、目視観察とカメラ観察の両方において、さらに高い軸外性能を実現することができる。
-1.1≦MTFspeak(Fiy)/(DOFd×Fiy2)≦3.1      (但し、0.2≦Fiy≦1)    （１０−１）
【００６４】
対物レンズの第２レンズ群は、最も像側に、単レンズ（以降、最終レンズと記す。）を含むことが望ましく、その場合、対物レンズは、条件式（１１）を満たすことが望ましい。但し、Rは最終レンズの像側のレンズ面の曲率半径である。
-15mm≦R≦-10mm    （１１）
【００６５】
条件式（１１）を満たす曲率の高い単レンズにおいて対物レンズ内の他のレンズで発生した像面湾曲とは逆方向の像面湾曲を発生させることによって、対物レンズは、逆光線追跡を行った場合に、物体側に凹形状を向けた像面湾曲を持つことになる。Rが条件式（１１）の下限値を下回ると、接眼レンズで生じる像面湾曲が支配的になってしまう。このため、目視観察において高い軸外性能を実現することが困難になる。Rが条件式（１１）の上限値を上回ると、対物レンズで生じる収差（像面湾曲）が大きくなりすぎる。このため、接眼レンズを用いないカメラ観察において高い軸外性能を実現することが困難になる。
【００６６】
なお、対物レンズは、条件式（１１）の代わりに条件式（１１−１）を満たしてもよい。これにより、目視観察とカメラ観察の両方において、さらに高い軸外性能を実現することができる。
-14.1mm≦R≦-10.5mm    （１１−１）
【００６７】
また、対物レンズは、３つ以上の接合レンズを含んでもよい。これにより、C線とF線の軸上色収差と倍率色収差を良好に補正することができる。また、対物レンズは、２つ以上の接合レンズを含み、その２つ以上の接合レンズのうちの少なくとも１つは、３枚接合レンズであってもよい。この場合も、C線とF線の軸上色収差と倍率色収差を良好に補正することができる。
【００６８】
以下、対物レンズのさらに望ましい構成の一例について説明する。
第２レンズ群は、物体側から順に、全体として負の屈折力を有する少なくとも１つのレンズ成分と、接合レンズと、正の屈折力を有する単レンズからなることが望ましい。また、接合レンズは、例えば、正レンズと負レンズからなる２枚接合レンズであることが望ましい。この場合、第２レンズ群は、第１レンズ群から入射した発散光を、軸上色収差、軸外のコマ収差及び非点収差を補正しながら、平行光に変換してから出射することができる。なお、全体として負の屈折力を有する少なくとも１つのレンズ成分は、光線高を上げて開口数を拡大する役割を、主に担っている。また、接合レンズは、軸上色収差を補正する役割を、主に担っている。また、単レンズは、発散光を平行光に変換する役割を、主に担っている。レンズ成分とは、単レンズ、接合レンズを問わず、物点からの光線が通るレンズ面のうち物体側の面と像側の面の２つの面のみが空気（又は浸液）と接する一塊のレンズブロックのことである。
【００６９】
さらに、対物レンズの最も像側のレンズ面において、軸上マージナル光線高さは最大であることが望ましい。そのような構成は、対物レンズ内における光線の屈折角を抑制することができるため、軸上色収差を抑えること、且つ、軸外性能が軸上性能と比べて著しく劣化すること、を防止することが可能な構成となっている。
【００７０】
以上の構成を有する対物レンズは、条件式（１２）を満たすことが望ましい。
-0.38 ≦ FS/FC ≦ 0.38         （１２）
【００７１】
但し、FCは、第２レンズ群に含まれる接合レンズのd線に対する焦点距離である。FSは、第２レンズ群に含まれている単レンズのd線に対する焦点距離である。なお、この単レンズは、接合レンズの像側に配置されている。
【００７２】
FS/FCが下限値を下回らないことによって、軸上色収差を良好に補正し、かつ軸外のコマ収差及び非点収差を良好に補正することができる。より詳細には、接合レンズが低い負の屈折力を持つことによって、他のレンズにおいて発生する軸上色収差を補正することが可能となる。また、単レンズが高い屈折力を持つことによって、対物レンズ内部において、軸外の光線の角度を、緩やかに変化させて、軸外のコマ収差及び非点収差を良好に補正することが可能となる。また、FS/FCが上限値を上回らないことによって、他のレンズにおいて過剰に補正した軸上色収差を、接合レンズが持つ低い正の屈折力によって逆方向に補正することができる。
【００７３】
対物レンズは、条件式（１２）を満たすことによって、軸上色収差と軸外収差を良好に補正することができる。
【００７４】
以下、対物レンズのさらに望ましい構成の別の一例について説明する。
第１レンズ群は、物体側から順に、物体側に凹面を向けた接合レンズ（以降、第１接合レンズと記す。）と、正の屈折力を有する単レンズ（以降、第１単レンズと記す。）と、像側に凹面を向けた接合レンズ（以降、第２接合レンズと記す。）と、を含むことが望ましい。また、第２レンズ群は、物体側から順に、物体側に凹面を向けた接合レンズ（以降、第３接合レンズと記す。）と、正の屈折力を有する単レンズ（以降、第２単レンズと記す。）と、を含むことが望ましい。この場合、第１接合レンズ、第２接合レンズ、第３接合レンズの各々は、正レンズと負レンズを１枚ずつ組み合わせた２枚接合レンズであることが望ましい。
【００７５】
以上のように構成された対物レンズでは、物点からの発散光は、第１レンズ群内で一度収斂光に変換される。その後から発散光に変換されて、さらに第２レンズ群から平行光として出射される。このように、対物レンズは、光線を上げ下げすることによってペッバール和をはじめとした各種収差を補正することができる。
【００７６】
第１接合レンズと第２接合レンズは、第１レンズ群中の、光線高の変化が大きく、且つ、軸上マージナル光線高が高い領域に配置されている。このような領域に接合レンズではなく単レンズを用いると、各レンズ面で光線を大きく曲げることになるため、軸上色収差をはじめとする諸収差が大きく発生することになる。このため、対物レンズ全体で収差を良好に補正することが難しくなる。これに対して、対物レンズでは、第１接合レンズと第２接合レンズを配置することによって、光線を緩やかに曲げることができる。このため、対物レンズ全体で軸上色収差、球面収差等の諸収差を良好に補正することができる。特に、第１接合レンズは軸外光線も緩やかに曲げていることから、コマ収差、倍率色収差に対して強い補正作用を有している。
【００７７】
第３接合レンズは、第２レンズ群中の、光線高の変化が緩やかであり、且つ、軸上マージナル光線高が高い領域に配置されている。光線高の変化が緩やかな領域に第３接合レンズが配置されていることによって、球面収差、コマ収差への影響を抑えながら、主に軸上色収差を補正することができる。また、第１レンズ群で生じた像面湾曲、歪曲収差等も補正することができる。仮に、第３接合レンズの代わりに単レンズが用いたとすると、各レンズ面で光線を大きく曲げることになる。このため、軸上色収差、球面収差、コマ収差、像面湾曲等の諸収差が大きく発生することになり、レンズ全体として良好な収差補正が困難になる。
【００７８】
以上のような構成を有する対物レンズは、以下の条件式（１３）から条件式（１５）を満たすことが望ましい。
0.31≦NA＜1              （１３）
2.2≦H/f≦3.3            （１４）
0＜a/b≦1.2              （１５）
【００７９】
但し、NAは対物レンズの物体側の開口数である。fは対物レンズのd線に対する焦点距離である。Hは物体面から第２レンズ群の最も像側のレンズ面（即ち、対物レンズの最終面）までの距離である。aは第１レンズ群の空気間隔距離の総和である。第１レンズ群の空気間隔距離とは、第１レンズ群に含まれる、隣り合ったレンズ面の間の距離のうち、レンズ面の間が空気で満たされているものをいう。bは第２接合レンズに含まれる負レンズの厚さである。なお、a,Hは、いずれも対物レンズの光軸上における距離であり、bは、対物レンズの光軸上における厚さである。
【００８０】
条件式（１３）は解像力と明るさの適用範囲を規定するものである。対物レンズは乾燥系対物レンズであるため、NA＜1である。また、NAが0.31未満であれば、解像力の低下と像の明るさ不足が生じやすい。特に蛍光観察時には、細胞毒性を抑えるために限られた照明光量下で観察が行われることから、明るさ不足が特に顕著に生じやすい。
【００８１】
条件式（１４）は対物レンズの倍率と同焦点距離の適用範囲を規定するものである。同焦点距離がある程度制約されることを考慮すると、H/fが2.2未満まで低下すると、倍率が小さくなり、その結果、視野が広くなりすぎる。このため、物体側に凹面を向けた第１接合レンズを配置することが困難となる。また、H/fが3.3を上回ると、倍率が高くなるため、より大きな正パワーが必要となる。なお、条件式（１４）を満たす対物レンズは、倍率が10倍程度で、同焦点距離が45mm〜65mm程度である。
【００８２】
第１レンズ群内の空気間隔距離に対する第２接合レンズの負レンズの厚さが大きければ、第２接合レンズの接合面に軸上マージナル光線高の高い光線が通ることになる。具体的には、a/bが1.2以下であれば、十分な光線高の軸上マージナル光線が接合面を通る。このため、条件式（１５）を満たすことによって、軸上色収差を良好に補正することができる。なお、a,bは共に正の値を有する為、a/bが0以下になることはない。また、第２接合レンズは光線を徐々に下げることによってコマ収差、像面湾曲等を補正しつつ、軸上色収差を補正する役割も担っている。a/bが1.2を上回ると、第２接合レンズで緩やかに光線を曲げて徐々に光線を下げることができなくなる。このため、コマ収差、色収差等を総合的に補正することが困難となる。
【００８３】
対物レンズは、条件式（１３）から条件式（１５）を満たすことによって、低倍の対物レンズでありながら、短波長域から近赤外域までの諸収差を良好に補正することができる。
【００８４】
以下、対物レンズのさらに望ましい構成の更に別の一例について説明する。
対物レンズは、条件式（１６）を満たすことが望ましい。
0.43≦(hg2-hg1)/gt1≦1.5          （１６）
【００８５】
但し、gt1を第２レンズ群に含まれる最も物体側のレンズ成分（以降、第２レンズ群の第１レンズ成分と記す。）の光軸上における厚さである。hg1を第２レンズ群の第１レンズ成分の最も物体側のレンズ面における軸上マージナル光線高さである。hg2を第２レンズ群の第１レンズ成分の最も像側のレンズ面における軸上マージナル光線高さである。
【００８６】
条件式（１６）は、第２レンズ群の第１レンズ成分への入射光と第２レンズ群の第１レンズ成分からの射出光との光線高さの差と第２レンズ群の第１レンズ成分の厚さの関係を規定した条件式である。第２レンズ群の第１レンズ成分で光線高さを大きく変化させることによって、コマ収差と像面湾曲を良好に補正することができる。このため、３０倍以下の倍率を有する焦点距離の長い対物レンズにおいて、視野周辺部までコントラストの高い像を得ることが可能となる。
【００８７】
(hg2-hg1)/gt1が条件式（１６）の上限値を上回ると、第２レンズ群の第１レンズ成分の入射側と射出側のレンズ面で光線が強く屈折する。このため、高次の球面収差、コマ収差が発生してしまい、良好な像を得ることが困難となる。また、(hg2-hg1)/gt1が条件式（１６）の下限値を下回ると、焦点距離の長い対物レンズでは、コマ収差と像面湾曲を十分に補正することが難しい。このため、周辺部までコントラストの高い像を得ることが困難となる。
【００８８】
対物レンズは、条件式（１６）を満たすことによって、高ＮＡを有し、且つ、色収差と軸外性能とを良好に補正することができる。
なお、対物レンズは、いずれかの条件式を単独で用いても、自由に組み合わせて用いてもよく、どのような組み合わせであっても十分な効果を奏する。また、上述した条件式の上限値、下限値をそれぞれ単独に変更して新たな条件式を作成してもよく、その場合であっても、同様に効果を奏する。
【００８９】
以下、上述した対物レンズの実施例について具体的に説明する。
【００９０】
［実施例１］
図１は、本実施例に係る対物レンズ１の断面図である。対物レンズ１は、乾燥系の顕微鏡対物レンズであり、物体側から順に、正の屈折力を有する第１レンズ群Ｇ１と、正の屈折力を有する第２レンズ群Ｇ２からなる。第１レンズ群Ｇ１と第２レンズ群Ｇ２は、互いに凹面を向かい合わせに配置されている。
【００９１】
第１レンズ群Ｇ１は、物体側から順に、両凸レンズであるレンズＬ１と、像側に凹面を向けた接合レンズＣＬ１と、を含んでいる。接合レンズＣＬ１は、２枚接合レンズであり、物体側から順に、両凸レンズと両凹レンズからなる。
【００９２】
第２レンズ群Ｇ２は、物体側から順に、物体側に凹面を向けた接合レンズＣＬ２と、物体側に凹面を向けた接合レンズＣＬ３と、両凸レンズであるレンズＬ８と、を含んでいる。接合レンズＣＬ２は、負の屈折力を有する２枚接合レンズであり、物体側から順に、両凹レンズと両凸レンズからなる。接合レンズＣＬ３は、２枚接合レンズであり、物体側から順に、両凹レンズと両凸レンズからなる。レンズＬ８は、正の屈折力を有する単レンズである。
【００９３】
対物レンズ１の各種データは、以下のとおりである。但し、FG1は、第１レンズ群Ｇ１のd線に対する焦点距離である。FG2は、第２レンズ群Ｇ２のd線に対する焦点距離である。
NA=0.16, FN=26.5mm, f=45mm, WD=13.25mm, |β|=4, DOFd=11.46μm, FG1=21.73mm, FG2=56.51mm, FS=26.43mm, FC=-5378.51mm 
【００９４】
対物レンズ１のレンズデータは、以下のとおりである。なお、レンズデータ中のINFは無限大（∞）を示している。
対物レンズ１
s     r         d        nd        νd  
1     ∞       0.17     1.52397    54.41
2     ∞      13.2458         
3   20.4097    3.2684   1.51633    64.14
4  -22.1977    8.0214         
5    9.8755    3.0895   1.43875    94.66
6  -10.1728    1.7328   1.51633    64.14
7    7.3477    2.7456         
8   -5.7177    2.5231   1.755      52.32
9   36.266     2.9771   1.43875    94.66
10   -8.5226    0.4709         
11  -20.1257    1.5608   1.48749    70.23
12   20.4365    3.8973   1.43875    94.66
13  -18.1858    0.3014         
14  185.9612    3.5703   1.497      81.54
15  -14.0427
【００９５】
ここで、sは面番号を、rは曲率半径(mm)を、dは面間隔(mm)を、ndはd線に対する屈折率を、νdはアッベ数を示す。これらの記号は、以降の実施例でも同様である。なお、面番号s1,s2が示す面は、それぞれ物体面(カバーガラスＣＧの物体側の面)、カバーガラスＣＧの像側の面である。面番号s3,s15が示す面は、それぞれ対物レンズ１の最も物体側のレンズ面、最も像側のレンズ面である。また、例えば、面間隔d1、面番号s1が示す面から面番号s2が示す面までの光軸上の距離を示している。
【００９６】
対物レンズ１における、物体高比Fiy、d線最適位置Wz、d線最適位置におけるC線に対するRMS波面収差WCRMS、d線最適位置におけるF線に対するRMS波面収差WCRMSは、以下のとおりである。
Fiy     Wz(Fiy)    WCRMS(Fiy)   WFRMS(Fiy)
0       0.00        0.007        0.029
0.05    0.00        0.010        0.030
0.1     0.02        0.016        0.034
0.15    0.03        0.023        0.039
0.2     0.06        0.029        0.045
0.25    0.10        0.035        0.052
0.3     0.15        0.040        0.058
0.35    0.20        0.045        0.063
0.4     0.27        0.049        0.068
0.45    0.35        0.052        0.072
0.5     0.45        0.054        0.076
0.55    0.56        0.055        0.079
0.6     0.68        0.055        0.081
0.65    0.82        0.054        0.083
0.7     0.98        0.052        0.085
0.75    1.16        
0.8     1.34        
0.85    1.54        
0.9     1.74        
0.95    1.96        
1       2.17        
【００９７】
対物レンズ１は、以下で示されるように、条件式（１）から条件式（１３）を満たしている。
（１）(Wz(1)-Wz(0))/DOFd=2.17
（２）Max(WCRMS(Fiy))=0.055
（３）Max(WFRMS(Fiy))=0.085
（４）Min(FCY(Fiy)/DOFd)=0.05
Max(FCY(Fiy)/DOFd)=1.56
（５）Min((FCYC(Fiy)- FCYF(Fiy))/DOFd)=1.04
Max((FCYC(Fiy)- FCYF(Fiy))/DOFd)=2.69
（６）Min(FCX(Fiy)/DOFd)=0.08
Max(FCX(Fiy)/DOFd)=2.45
（７）Min((FCY(Fiy)+ FCX(Fiy))/(2×DOFd×Fiy2))=1.62
Max((FCY(Fiy)+ FCX(Fiy))/(2×DOFd×Fiy2))=2.02
（８）Min(MTFmpeak(Fiy)/(DOFd×Fiy2))=1.49
Max(MTFmpeak(Fiy)/(DOFd×Fiy2))=2.07
（９）ave(MTFmpeakC(Fiy)-MTFmpeakF(Fiy))/DOFd=0.74
（１０）Min(MTFspeak(Fiy)/(DOFd×Fiy2))=1.91
Max(MTFspeak(Fiy)/(DOFd×Fiy2))=2.36
（１１）R=-14.0427mm
（１２）FS/FC=-0.005
（１３）NA=0.16
【００９８】
図２は、図１に示す対物レンズ１の収差図であり、像側から無限遠光束を入射したときの物体面における収差を示している。図２（ａ）は球面収差図である。図２（ｂ）は正弦条件違反量を示す図である。図２（ｃ）はd線に対する非点収差図である。図２（ｄ）はC線に対する非点収差図である。図２（ｅ）はF線に対する非点収差図である。図２（ｆ）は物体高比0.6（物体高1.99mm）の位置におけるコマ収差図である。なお、図中の“Ｍ”はメリディオナル成分、“Ｓ”はサジタル成分を示している。また、以降の実施例でも、同様の収差図を示す。
【００９９】
［実施例２］
図３は、本実施例に係る対物レンズ２の断面図である。対物レンズ２は、乾燥系の顕微鏡対物レンズであり、物体側から順に、正の屈折力を有する第１レンズ群Ｇ１と、正の屈折力を有する第２レンズ群Ｇ２からなる。第１レンズ群Ｇ１と第２レンズ群Ｇ２は、互いに凹面を向かい合わせに配置されている。
【０１００】
第１レンズ群Ｇ１は、物体側から順に、物体側に凹面を向けた接合レンズＣＬ１と、両凸レンズであるレンズＬ３と、両凸レンズであるレンズＬ４と、像側に凹面を向けた接合レンズＣＬ２と、を含んでいる。接合レンズＣＬ１は、２枚接合レンズであり、物体側から順に、両凹レンズと両凸レンズからなる。接合レンズＣＬ２は、２枚接合レンズであり、物体側から順に、両凸レンズと両凹レンズからなる。
【０１０１】
第２レンズ群Ｇ２は、物体側から順に、物体側に凹面を向けた接合レンズＣＬ３と、物体側に凹面を向けたメニスカスレンズであるレンズＬ９と、を含んでいる。接合レンズＣＬ３は、２枚接合レンズであり、物体側から順に、両凹レンズと両凸レンズからなる。レンズＬ９は、正の屈折力を有する単レンズである。
【０１０２】
対物レンズ２の各種データは、以下のとおりである。
NA=0.4, FN=26.5mm, f=18mm, WD=3.71mm, |β|=10, DOFd=1.83μm, FG1=9.92mm, FG2=88.91mm, H=46.8341mm, a=2.0941mm, b=4.4914mm
【０１０３】
対物レンズ２のレンズデータは、以下のとおりである。なお、面番号s3,s17が示す面は、それぞれ対物レンズ２の最も物体側のレンズ面、最も像側のレンズ面である。
対物レンズ２
s     r        d        nd        νd  
1     ∞      0.17      1.52397    54.41
2     ∞      3.714      
3   -8.3949   4.2261    1.61336    44.49
4   12.2083   3.4815    1.497      81.54
5  -10.5622   0.2018    
6  126.8294   2.8128    1.43875    94.66
7  -18.6394   0.2048     
8   14.7711   4.4917    1.43875    94.66
9  -18.5105   1.6875     
10   12.838    4.8105    1.43875    94.66
11   -9.1271   4.4914    1.51633    64.14
12    7.2585   5.7127   
13   -5.2712   2.9004    1.51633    64.14
14   71.5741   4.1702    1.43875    94.66
15  -10.1943   0.2273      
16 -195.0855   3.5314    1.43875    94.66
17  -13.7625
【０１０４】
対物レンズ２における、物体高比Fiy、d線最適位置Wz、d線最適位置におけるC線に対するRMS波面収差WCRMS、d線最適位置におけるF線に対するRMS波面収差WCRMSは、以下のとおりである。
Fiy     Wz(Fiy)    WCRMS(Fiy)   WFRMS(Fiy)
0       0.00        0.034        0.067
0.05    0.01        0.034        0.067
0.1     0.03        0.033        0.067
0.15    0.07        0.033        0.067
0.2     0.12        0.032        0.067
0.25    0.19        0.032        0.067
0.3     0.27        0.031        0.067
0.35    0.36        0.030        0.067
0.4     0.46        0.030        0.065
0.45    0.57        0.031        0.064
0.5     0.69        0.034        0.061
0.55    0.81        0.038        0.058
0.6     0.94        0.045        0.053
0.65    1.06        0.055        0.047
0.7     1.19        0.067        0.042
0.75    1.31            
0.8     1.45            
0.85    1.59            
0.9     1.76            
0.95    1.93            
1       2.12      
【０１０５】
対物レンズ２は、以下で示されるように、条件式（１）から条件式（１１）及び条件式（１３）から条件式（１５）を満たしている。
（１）(Wz(1)-Wz(0))/DOFd=2.12
（２）Max(WCRMS(Fiy))=0.067
（３）Max(WFRMS(Fiy))=0.067
（４）Min(FCY(Fiy)/DOFd)=0.12
Max(FCY(Fiy)/DOFd)=3.26
（５）Min((FCYC(Fiy)- FCYF(Fiy))/DOFd)=-1.93
Max((FCYC(Fiy)- FCYF(Fiy))/DOFd)=0.99
（６）Min(FCX(Fiy)/DOFd)=0.08
Max(FCX(Fiy)/DOFd)=2.20
（７）Min((FCY(Fiy)+ FCX(Fiy))/(2×DOFd×Fiy2))=2.54
Max((FCY(Fiy)+ FCX(Fiy))/(2×DOFd×Fiy2))=2.73
（８）Min(MTFmpeak(Fiy)/(DOFd×Fiy2))=1.60
Max(MTFmpeak(Fiy)/(DOFd×Fiy2))=2.69
（９）ave(MTFmpeakC(Fiy)-MTFmpeakF(Fiy))/DOFd=0.46
（１０）Min(MTFspeak(Fiy)/(DOFd×Fiy2))=2.79
Max(MTFspeak(Fiy)/(DOFd×Fiy2))=3.08
（１１）R=-13.7625mm
（１３）NA=0.4
（１４）H/f=2.6
（１５）a/b=0.47
【０１０６】
図４は、図３に示す対物レンズ２の収差図であり、像側から無限遠光束を入射したときの物体面における収差を示している。図４（ａ）は球面収差図である。図４（ｂ）は正弦条件違反量を示す図である。図４（ｃ）はd線に対する非点収差図である。図４（ｄ）はC線に対する非点収差図である。図４（ｅ）はF線に対する非点収差図である。図４（ｆ）は物体高比0.6（物体高0.79mm）の位置におけるコマ収差図である。
【０１０７】
［実施例３］
図５は、本実施例に係る対物レンズ３の断面図である。対物レンズ３は、乾燥系の顕微鏡対物レンズであり、物体側から順に、正の屈折力を有する第１レンズ群Ｇ１と、正の屈折力を有する第２レンズ群Ｇ２からなる。第１レンズ群Ｇ１と第２レンズ群Ｇ２は、互いに凹面を向かい合わせに配置されている。
【０１０８】
第１レンズ群Ｇ１は、物体側から順に、物体側に凹面を向けたメニスカスレンズであるレンズＬ１と、物体側に凹面を向けたメニスカスレンズであるレンズＬ２と、両凸レンズであるレンズＬ３と、接合レンズＣＬ１と、像側に凹面を向けた接合レンズＣＬ２と、を含んでいる。接合レンズＣＬ１は、３枚接合レンズであり、物体側から順に、両凸レンズ（レンズＬ４）と両凹レンズ（レンズＬ５）と両凸レンズ（レンズＬ６）からなる。接合レンズＣＬ２は、２枚接合レンズであり、物体側から順に、両凸レンズ（レンズＬ７）と両凹レンズ（レンズＬ８）からなる。
【０１０９】
第２レンズ群Ｇ２は、物体側から順に、物体側に凹面を向けたメニスカスレンズであるレンズＬ９と、物体側に凹面を向けたメニスカスレンズであるレンズＬ１０と、を含んでいる。
【０１１０】
対物レンズ３の各種データは、以下のとおりである。
NA=0.8, FN=26.5mm, f=9mm, WD=1.17mm, |β|=20, DOFd=0.46μm, FG1=5.95mm, FG2=114.85mm, hg1=4.920mm, hg2=6.312mm, gt1=2.4854mm
【０１１１】
対物レンズ３のレンズデータは、以下のとおりである。なお、面番号s3,s19が示す面は、それぞれ対物レンズ３の最も物体側のレンズ面、最も像側のレンズ面である。
対物レンズ３
s     r        d        nd        νd  
1     ∞      0.17      1.52397    54.41
2     ∞      1.17      
3   -3.1485   5.1142    1.603      65.44
4   -4.9459   0.3439     
5  -21.3731   4.0708    1.43875    94.66
6   -7.7412   0.3283     
7   23.7065   3.8574    1.43875    94.93
8  -28.081    4.6645      
9   38.8862   4.9835    1.43875    94.93
10  -10.6104   1.5       1.63775    42.41
11   20.0426   5.1722    1.43875    94.93
12  -13.3781   0.2448      
13    9.85     5.3638    1.43875    94.93
14  -22.0444   1.5       1.63775    42.41
15    7.7482   5      
16   -6.1396   2.4854    1.58913    61.14
17  -11.5747   0.1886      
18  -19.5016   3.2462    1.738      32.26
19  -10.7423         
【０１１２】
対物レンズ３における、物体高比Fiy、d線最適位置Wz、d線最適位置におけるC線に対するRMS波面収差WCRMS、d線最適位置におけるF線に対するRMS波面収差WCRMSは、以下のとおりである。
Fiy     Wz(Fiy)    WCRMS(Fiy)   WFRMS(Fiy)
0       0.00        0.023        0.048
0.05   -0.01        0.023        0.049
0.1    -0.02        0.022        0.051
0.15   -0.04        0.021        0.054
0.2    -0.06        0.021        0.059
0.25   -0.09        0.020        0.064
0.3    -0.12        0.021        0.072
0.35   -0.14        0.023        0.080
0.4    -0.15        0.027        0.089
0.45   -0.16        0.032        0.101
0.5    -0.16        0.040        0.115
0.55   -0.14        0.049        0.130
0.6    -0.10        0.060        0.148
0.65   -0.03        0.073        0.170
0.7     0.06        0.089        0.195
0.75    0.19            
0.8     0.34            
0.85    0.55            
0.9     0.80            
0.95    1.09            
1       1.44            
【０１１３】
対物レンズ３は、以下で示されるように、条件式（１）から条件式（１１）、条件式（１３）及び条件式（１６）を満たしている。
（１）(Wz(1)-Wz(0))/DOFd=1.44
（２）Max(WCRMS(Fiy))=0.089
（３）Max(WFRMS(Fiy))=0.195
（４）Min(FCY(Fiy)/DOFd)=0.05
Max(FCY(Fiy)/DOFd)=3.61
（５）Min((FCYC(Fiy)- FCYF(Fiy))/DOFd)=-0.53
Max((FCYC(Fiy)- FCYF(Fiy))/DOFd)=0.25
（６）Min(FCX(Fiy)/DOFd)=0.14
Max(FCX(Fiy)/DOFd)=4.80
（７）Min((FCY(Fiy)+ FCX(Fiy))/(2×DOFd×Fiy2))=2.49
Max((FCY(Fiy)+ FCX(Fiy))/(2×DOFd×Fiy2))=4.20
（８）Min(MTFmpeak(Fiy)/(DOFd×Fiy2))=-1.10
Max(MTFmpeak(Fiy)/(DOFd×Fiy2))=2.35
（９）ave(MTFmpeakC(Fiy)-MTFmpeakF(Fiy))/DOFd=-1.11
（１０）Min(MTFspeak(Fiy)/(DOFd×Fiy2))=-1.08
Max(MTFspeak(Fiy)/(DOFd×Fiy2))=3.02
（１１）R= -10.7423mm
（１３）NA=0.8
（１６）(hg2-hg1)/gt1=0.56
【０１１４】
図６は、図５に示す対物レンズ３の収差図であり、像側から無限遠光束を入射したときの物体面における収差を示している。図６（ａ）は球面収差図である。図６（ｂ）は正弦条件違反量を示す図である。図６（ｃ）はd線に対する非点収差図である。図６（ｄ）はC線に対する非点収差図である。図６（ｅ）はF線に対する非点収差図である。図６（ｆ）は物体高比0.6（物体高0.40mm）の位置におけるコマ収差図である。
【符号の説明】
【０１１５】
１、２、３                                                    対物レンズ
ＣＬ１、ＣＬ２、ＣＬ３                                        接合レンズ
Ｇ１                                                          第１レンズ群
Ｇ２                                                          第２レンズ群
Ｌ１、Ｌ２、Ｌ３、Ｌ４、Ｌ５、Ｌ６、Ｌ７、Ｌ８、Ｌ９、Ｌ１０  レンズ
【図１】
2019191269.tif 000003
【図２】
2019191269.tif 000004
【図３】
2019191269.tif 000005
【図４】
2019191269.tif 000006
【図５】
2019191269.tif 000007
【図６】
2019191269.tif 000008